(57)【特許請求の範囲】
【請求項１】
身体に直接または間接的に接触して身体を支持する略板状の身体支持部材であって、
支持部と、前記支持部を取り囲む周辺部と、前記周辺部の外縁に位置する外縁部と、を有しており、
前記周辺部は、固定領域と、前記固定領域よりも変形しやすい変動領域とからなり、
前記支持部は、前記固定領域と前記変動領域とを交互に経由して前記外縁部と繋がっており、
また、前記周辺部と前記支持部とからなるセットは複数設けられていて、１つの前記セットにおける板面と交差する方向の変位を遮断する遮断構造が形成されている
ことを特徴とする身体支持部材。
【請求項２】
前記周辺部には、前記支持部を囲むように延びる複数のスリットが形成されており、
前記変動領域は、前記スリットの幅方向に隣接する２つの前記スリット間の前記幅方向の間隔が前記固定領域と比較して狭い領域である
ことを特徴とする請求項１に記載の身体支持部材。
【請求項３】
前記スリットは、それぞれが前記支持部に中心を有する円の円周上に形成されている
ことを特徴とする請求項２に記載の身体支持部材。
【請求項４】
前記変動領域は、前記固定領域よりも肉薄に形成された領域である
ことを特徴とする請求項１に記載の身体支持部材。
【請求項５】
請求項１から請求項４のいずれか１項に記載の身体支持部材を、使用者が着座する座体に用いていることを特徴とする椅子。
【請求項６】
前記支持部は、前記座体の後方に形成されている
ことを特徴とする請求項５に記載の椅子。
【請求項７】
前記支持部は、前記座体の左右に配置されている
ことを特徴とする請求項５または請求項６に記載の椅子。
【請求項８】
使用者が着座する座体を有する椅子であって、
前記座体は、複数のスリットを長さ方向に並べてなるスリット列が所定の支持部を取り囲むように並列して複数形成されており、
隣接する前記スリット列においては、前記スリットがずらして配置されており、
前記支持部は、前記座体の左右に配置されており、
前記座体の裏面には、前記座体の左右方向の中央部において前後方向に延びるリブが形
成されている
ことを特徴とする椅子。
【請求項９】
前記支持部は、前記座体の後方に形成されている
ことを特徴とする請求項８に記載の椅子。
【請求項１０】
前記座体の裏面には、前記複数のスリット列の間の領域において前記スリット列に沿ってリブが形成されている
ことを特徴とする請求項８または請求項９に記載の椅子。
【発明の詳細な説明】
【技術分野】
【０００１】
本発明は、身体に直接または間接的に接触して身体を支持する身体支持部材と、その身体支持部材を使用した椅子に関する。
【背景技術】
【０００２】
身体に接触して身体を支持する部材は、表面が硬いと使用者に不快感を与えてしまう。例えば椅子の座を合板や硬い樹脂で形成すると、着座したときに坐骨に痛みを感じてしまう。ウレタンなどの緩衝材を貼り付けることである程度は不快感を緩和することができるが、長時間着座したときの不快感を低減するためには、座の芯となる部材自体に適度な弾性と強度とを持たせることが好ましい。
【０００３】
従来、椅子の座の部材として、メッシュや布などの膜状部材の周縁を枠状の支持部材で保持して使用者の身体を支える座を構成してなる椅子が提案されている（特許文献１参照）。この椅子では、座の芯となる部材がメッシュや布であるため、合板などで構形成された椅子と比較すれば座り心地がよくなる。
【先行技術文献】
【特許文献】
【０００４】
【特許文献１】特開２００１−１３７０６５号公報
【発明の概要】
【発明が解決しようとする課題】
【０００５】
使用者が着座すると、使用者の坐骨部分が座に大きな荷重を掛ける。上記特許文献１の椅子のように支持面が膜状部材で構成されている場合、座におけるある点に荷重が加えられると、その点に引っ張られて座全体が窪むように変形する。
【０００６】
その結果、使用者が着座した際に坐骨周辺に大きな荷重が掛かることなく、坐骨周辺から太腿の下面や側面などの広い範囲で荷重を分散して受けることになる。（図９（Ａ）参照）。その結果、骨盤や大腿部が圧迫されたり、左右の坐骨２箇所にて受ける荷重が小さくなる結果使用者がバランスを崩しやすくなったりするため、長時間の着座では疲労を感じやすくなる。
【０００７】
本発明は、上述した問題に鑑みてなされたものであり、その目的は、使用時に疲労を低減することができる身体支持部材および椅子を提供することである。
【課題を解決するための手段】
【０００８】
上述した問題を解決するためになされた請求項１に記載の発明は、身体に直接または間接的に接触して身体を支持する略板状の身体支持部材であって、支持部と、支持部を取り囲む周辺部と、前記周辺部の外縁に位置する外縁部と、を有している。この身体支持部材においては、周辺部が固定領域と固定領域よりも変形しやすい変動領域とからなり、支持部が固定領域と変動領域とを交互に経由して前記外縁部と繋がっており、また、周辺部と支持部とからなるセットは複数設けられていて、１つのセットにおける板面と交差する方向の変位を遮断する遮断構造が形成されていることを特徴とする。
【０００９】
このように構成された身体支持部材は、支持部に荷重が加えられると、板面全体が均等に引っ張られることがなく、支持部を中心とした限られた領域が変形して窪むこととなる。その結果、身体における支持部に接触した部分の周辺を適切に保持できるようになり、使用時の疲労を低減することができる。
【００１０】
例えば、本発明の身体支持部材を椅子の座に用いると、着座時には支持部を中心とした限られた領域のみが変形して窪む。その結果、坐骨周辺が身体支持部材と接触するため、荷重が分散して坐骨に荷重が集中しすぎることがない。一方、坐骨周辺において荷重の大部分を受けることとなるため、骨盤や大腿部が荷重を受けて圧迫されることなく、また坐骨にて充分な荷重を受けることで着座状態が安定するため、座位姿勢を長時間継続しても疲労を感じにくくなる。
【００１１】
これに対し、従来品のようにメッシュや布を用いた座では、当座の座り心地は良く感じるものの、上述したように骨盤や大腿部に負荷が加わることや着座状態が安定しないことにより長時間の座位姿勢で疲労を感じてしまう。また、合板などの硬い座では坐骨に荷重が集中して痛みを感じる。本発明の身体支持部材では、このような問題を解消することができる。
【００１２】
請求項２に記載の身体支持部材は、周辺部において支持部を囲むように延びる複数のスリットが形成されている。そして、変動領域は、スリットの幅方向に隣接する２つのスリット間における幅方向の間隔が固定領域と比較して狭い領域である。
【００１３】
このように構成された身体支持部材の一例を図４（Ａ）に示す。なお図４（Ａ）は上記発明の一例を示すものであって、本発明はこの構成に限定されるものではない。
図４（Ａ）に示すように、支持部４１を囲むようにスリット４３を複数配置すると、隣接するスリット同士の間において、スリットの幅方向の間隔が広い部分（固定領域６１）と狭い部分（変動領域６３）とが生じる。また、支持部４１から外縁部５７までは固定領域６１と変動領域６３とを交互に経由して繋がっている。即ち、上記構成であれば、本発明の周辺部を実現することができ、支持部に荷重が加えられたときにその周囲を適切に変形させることができる。
【００１４】
ところで、上記スリットは支持部を囲うように配置されていればよいが、さらに請求項３に記載されているように、それぞれが支持部に中心を有する円の円周上に形成されていてもよい。
【００１５】
スリットを設けている場合、支持部に荷重が加えられると、スリットが開くように変形することで身体支持部材における窪みの形成が実現される。即ち、スリットの配置によって窪みの形状が変化する。上記構成の身体支持部材では、荷重が加えられることで支持部を中心とした円形状に窪みを形成することができるため、窪みの歪みが小さくなり、使用者は身体が接触する部分に違和感を生じにくい。
【００１６】
なお、スリットの配置は、完全な正円の円周上でなく楕円の円周上に形成されていてもよいが、その場合には、各楕円の焦点の中心が支持部の中心に位置し、かつ楕円の長辺方向が揃うようにしておけば、歪みが生じにくく都合がよい。
【００１７】
もちろん、窪みの形状を歪ませたい場合には、スリットをその目的の形状に合わせて形成してもよい。
請求項４に記載の発明は、請求項１に記載の身体支持部材において、変動領域が固定領域よりも肉薄に形成された領域であることを特徴とする。肉薄に形成された領域は、肉厚に形成された領域よりも変形しやすくなる。即ち、上記構成であれば、本発明の周辺部を実現することができ、支持部に荷重が加えられたときにその周囲を適切に変形させることができる。
【００１８】
また上述した請求項１に記載の発明においては、周辺部と支持部とからなるセットが複数設けられていることを特徴とする。
このように構成された身体支持部材では、複数のセットそれぞれにおいて、支持部に荷重が加えられたときにその周囲を適切に変形させることができる。即ち、身体が複数の点で身体保持部材に接触する場合にも身体を適切に支持することができ、使用時の疲労を低減することができる。
【００２０】
また上述した請求項１に記載の発明においては、１つのセットにおける板面と交差する方向の変位の伝達を遮断する遮断構造が、上記１つのセットと、該１つのセットとは異なるセットと、の間に形成されている。
このように構成された身体支持部材では、１つの支持部に荷重が加えられても、他のセットが変形しないため、各セットは、他のセットの影響を受けずに適切に変形することができる。
【００２１】
なお、遮断構造としては、例えばスリットやリブ、または肉厚部などが考えられる。
請求項５に記載の発明は、請求項１から請求項４のいずれか１項に記載の身体支持部材を、使用者が着座する座体に用いていることを特徴とする椅子である。
【００２２】
このように構成された椅子では、使用者が座体に着座したした際に上述した身体支持部材の構造を利用した良好な着座感を得ることができ、また長時間着座していても疲労を感じにくいという効果を奏する。なお、上記身体支持部材のみで座体を形成してもよいし、身体支持部材にカバーなどの補助的な部材を取り付け、身体支持部材を座芯として用いてもよい。
【００２３】
また、上記身体支持部材を座体に用いる場合には、請求項６に記載されているように、支持部を座体の後方に形成してもよい。使用者が椅子に正しく着座すると坐骨は座体の後方に接触する。そのため、上記構成であれば適切な着座姿勢において使用者の疲労を低減することができる。また、適切な着座姿勢のときに適切な形状に変形することから、使用者を正しい着座姿勢に誘導することができる。なお、座体の後方とは、使用者が着座した際に背面側となる部分である。
【００２４】
また、上記身体支持部材を座体に用いる場合には、請求項７に記載されているように、支持部を、座体の左右に配置してもよい。使用者が着座すると左右２点の坐骨で座体と接触するため、上記構成であれば坐骨それぞれの周囲を適切に支持することができ、使用者の疲労を低減することができる。なお、上記左右とは、使用者が着座し正面を向いたときを基準とする左右である。
【００２５】
請求項８に記載の発明は、使用者が着座する座体を有する椅子であって、座体は、複数のスリットを長さ方向に並べてなるスリット列が所定の支持部を取り囲むように並列して複数形成されており、隣接するスリット列においてはスリットがずらして配置されており、
前記支持部は、前記座体の左右に配置されており、座体の裏面には、座体の左右方向の中央部において前後方向に延びるリブが形成されていることを特徴とする椅子である。
【００２６】
このように構成された椅子は、支持部に荷重が加えられると、板面全体が均等に引っ張られることがなく、支持部を中心とした限られた領域が変形して窪むこととなる。その結果、身体における支持部に接触した部分の周辺を適切に保持できるようになり、使用時の疲労を低減することができる。
【００２７】
なお、上述した座体とは、使用者の身体と直接接触する部材であってもよいし、カバーなどの補助的な部材を取り付けて用いるいわゆる座芯であってもよい。
上記椅子において、支持部は、請求項９に記載されているように、座体の後方に形成されていてもよい。使用者が椅子に正しく着座すると坐骨は座体の後方に接触する。そのため、上記構成であれば適切な着座姿勢において使用者の疲労を低減することができる。また、適切な着座姿勢のときに適切な形状に変形することから、使用者を正しい着座姿勢に誘導することができる。なお、座体の後方とは、使用者が着座した際に背面側となる部分である。
【００２８】
また上述した請求項８に記載の発明は、支持部が座体の左右に配置されていることを特徴とする。使用者が着座すると左右２点の坐骨で座体と接触するため、上記構成であれば坐骨それぞれの周囲を適切に支持することができ、使用者の疲労を低減することができる。なお、上記左右とは、使用者が着座し正面を向いたときを基準とする左右である。
【００２９】
なお、上記座体では、２つの支持部ごとに異なるスリット列が形成されていてもよいし、２つの支持部を両方囲むようにスリット列が形成されていてもよい。
また上述した請求項８に記載の発明は、座体の裏面には、座面の左右方向の中央部において前後方向に延びるリブが形成されていることを特徴とする。
【００３０】
このように構成された椅子は、１つの支持部に荷重が加えられても、他のセットが変形しないため、各セットは、他のセットの影響を受けずに適切に変形することができる。
請求項１０に記載の発明は、請求項８または請求項９に記載の椅子において、座体の裏面には、複数のスリット列の間の領域においてスリット列に沿ってリブが形成されていることを特徴とする。
【００３１】
このように構成された椅子は、支持部に荷重が加えられた際の変形量がリブによって変化する。よって、このリブによって窪みの形状を調整することができる。
【図面の簡単な説明】
【００３２】
【図１】本実施例の椅子を示す分解斜視図
【図２】座芯の平面図（Ａ）および斜視図（Ｂ）
【図３】座芯の変形を説明する斜視図
【図４】座芯の変形を説明する平面図（Ａ）および変形例を示す平面図（Ｂ）
【図５】本実施例の椅子に使用者が着座した状態を説明する側面図
【図６】座芯の変形例を示す図
【図７】座芯の変形例を示す図
【図８】座芯の参考例を示す平面図
【図９】従来のメッシュを用いた椅子に使用者が着座した状態を説明する側面図
【発明を実施するための形態】
【００３３】
以下に本発明の実施形態を図面と共に説明する。ただし、以下に説明する実施形態は、あくまでも例示にすぎず、本発明が、下記の事例以外にも様々な形態で実施できるのはもちろんである。
［実施例］
（１）全体構成
本実施例の椅子１は、図１に示すように、下方にキャスタ１１が設けられ、椅子１全体を支持する脚体１３と、脚体１３の上方に配置される背もたれ１５と、使用者が着座する着座部２１と、を備えている。
【００３４】
着座部２１は、座受け２３と、座裏カバー２５と、枠体２７と、座芯２９と、クッション３１と、からなる。
座受け２３は、軸３３を中心として回動可能に脚体１３に支持される。
【００３５】
座裏カバー２５は枠体２７にネジなどで固定される。
枠体２７はパイプ状に形成されており、座受け２３にネジなどで固定される。また、座芯２９の裏面に配置されて、座芯２９の周縁部を保持する。
【００３６】
座芯２９は樹脂で形成されており、ネジなどで枠体２７に固定される。
クッション３１は枠体２７および座芯２９を覆うシート状の部材であって、内部にウレタンシートが設けられている。
【００３７】
本発明の特徴部分である座芯２９を上方から見た平面図を図２（Ａ）に示す。また、座芯２９を裏面から見た斜視図を図２（Ｂ）に示す。
座芯２９は、座芯２９のやや後方側において、座芯２９の左右方向に２つの支持部４１が並べて配置されている。この位置は使用者が着座した際に使用者の坐骨が当たりやすい位置である。また、支持部４１の周囲に複数のスリット４３が形成されている。
【００３８】
また、複数のスリット４３がその長さ方向に並んで複数のスリット列４５を形成している。この複数のスリット列４５は、それぞれが支持部４１を取り囲むように並列して、支持部４１に中心を有する円の円周上となる位置に配置されている。また、隣接するスリット列４５においては、スリット４３の一部がずらして配置されている。
【００３９】
このように複数のスリット４３が形成されている領域が本発明における周辺部に相当する。また、スリット４３が形成された領域の外側の領域が本発明における外縁部に相当する。この外縁部に相当する領域は枠体２７に固定されているため、座芯２９に荷重が加えられても変形しない。
【００４０】
座芯２９の裏面には、座芯２９の左右方向の中央部において前後方向に延びる複数のリブからなる遮断構造４７と、スリット列４５の間の領域においてスリット列４５に沿う複数の補助リブ４９と、が形成されている。また、座芯２９の裏面周縁には枠体２７が収まる枠体収容部５１が形成されている。
【００４１】
この座芯２９に荷重が加えられたとき、座芯２９は図３（Ａ），（Ｂ）のように変形する。図３（Ａ），（Ｂ）は上記座芯２９の変形状態を模式的に示すものであるため一部の形状を簡略化して記載している。座芯２９は荷重が加えられる前は図３（Ａ）に示すようにフラットである。支持部４１に荷重が加えられると、スリット４３それぞれにおいて、スリット４３を取り囲む部分のうち、内側（支持部４１側）と外側とが広がって離れ、その内側と外側に上下方向の段差が形成される。その結果、図３（Ｂ）に示すように支持部４１を中心とした窪みが形成される。
【００４２】
上記変形の詳細を、図４（Ａ）に示す平面図を用いて説明する。なお、この図４も説明を容易にするために図３と同様に模式的に記載している。また、この図においては、支持部４１の周辺においてスリット４３が形成された領域を周辺部５５とし、最も外側に位置するスリット４３の外の領域を外縁部５７として説明する。
【００４３】
周辺部５５は、スリット４３の幅方向に隣接する２つの前記スリット４３間の幅方向の間隔（図４（Ａ）におけるスリット列４５の円の法線方向）が相対的に広い固定領域６１と、相対的に狭い変動領域６３と、に分けられる。図中において、変動領域６３の一部を斜線で示している。支持部４１は、固定領域６１と変動領域６３とを交互に経由して外縁部５７と繋がっている。
【００４４】
このように構成されている座芯２９では、支持部４１に荷重が加えられると、幅の狭い変動領域６３が大きく変形することにより支持部４１が荷重方向に移動する。一方、固定領域６１は大きくは変形しない。このように、座芯２９には相対的に変形しやすい領域と変形しにくい領域とが交互に存在することになる。
【００４５】
これら固定領域６１および変動領域６３は、実際には図２のようにスリット４３の配置を適宜調整することでその大きさや配置を調節することができる。つまり、周辺部５５上には変形しやすい領域と変形しにくい領域とを自在に設定することができるため、支持部４１に荷重が加えられたときに適切な形状の窪みを形成することができる。
【００４６】
なお、仮に支持部４１から外縁部５７までの経路に固定領域６１と変動領域６３とが交互に配置されていない構成として、例えば図８のように支持部４１と外縁部５７とは固定領域６１のみを経由して連結するものが考えられる。この図８では、支持部４１を中心として四方に連結部分があるため支持部４１の変形が大きく制限されており、スリット４３によって座芯２９自体の強度を下げることは可能であるが、変形しやすい領域を自在に設定することはできない。
【００４７】
しかしながら、支持部４１と外縁部５７とを連結する固定領域６１が１箇所である場合や、図４（Ｂ）に示すようにそのような固定領域６１が複数であっても一部に集中して偏って配置されているならば、その固定領域６１が設けられた付近の領域は変形しにくく、その他の領域は変形しやすい領域を自在に設定してなる窪みを形成することができる。
【００４８】
次に、本実施例の座芯２９を備える着座部２１に使用者が着座したときの状態を、図５（Ａ），（Ｂ）を用いて説明する。破線が着座前の座芯２９の形状を示しており、実線が着座によって形成された窪みを示している。
【００４９】
図５（Ａ）に示すように、使用者３が着座すると、坐骨５を中心として座芯２９に荷重が加えられる。このとき、支持部４１を中心に窪むため、座芯２９全体の過度の沈み込みが抑制される。その結果、坐骨５周辺にて荷重の反作用の大部分を受けるため、骨盤や大腿部が側方から受ける圧迫が少なくなる。また、また坐骨５にて充分に荷重を加えることができるため、着座姿勢が安定する。
【００５０】
一方、図９（Ａ）に示すように、従来品のようにメッシュや布を用いた座では、座面全体の沈み込みが大きいため、メッシュ７によって坐骨５の周辺から太腿に掛けて広い範囲で負荷を分散して受けることになる。このように広い範囲で負荷を受けると、当座の座り心地は良く感じるものの、大腿部や骨盤に側面からの負荷が加わって圧迫感を受けるため、長時間着座すると疲労を感じてしまう。また坐骨にて充分な荷重を加えられないため着座状態が安定しないので、それによっても長時間の着座で疲労を感じてしまう。
【００５１】
また、本実施例の座芯２９では、図５（Ｂ）に示すように、使用者が体を傾けたりして一方の支持部４１にのみ大きな荷重が加わった場合であっても他方の支持部４１の周辺部は変形しにくい。このように左右独立して坐骨５を支えるため身体の動きに合わせて安定した着座ができるようになる。
【００５２】
これに対し、従来品のようにメッシュや布を用いた座では、図９（２）に示すように、左右どちらか一方の坐骨５にのみ大きな荷重が加わったとしても、他方の坐骨５もメッシュ７により強く突き上げられてしまう。そのため、安定した着座が困難になる。
【００５３】
なお、本実施例の座芯２９は、左右の支持部４１それぞれに対応するスリット４３が設けられる構造であるため、その構造のみによっても一方の支持部４１に荷重が加えられても他方には影響しにくいという上述した効果が得られるが、本実施例の座芯２９ではさらに遮断構造４７が設けられているため、さらに影響を小さくすることができる。
（２）発明の効果
本実施例の椅子１は、支持部４１に荷重が加えられると、座芯２９全体が均等に引っ張られることがなく、支持部４１を中心とした限られた領域が変形して窪むこととなる。その結果、身体における支持部４１に接触した部分の周辺を適切に保持できるようになり、使用時の疲労を低減することができる。
（３）変形例
以上、本発明の実施例について説明したが、本発明は、上記実施例に何ら限定されることはなく、本発明の技術的範囲に属する限り種々の形態をとり得ることはいうまでもない。
【００５４】
例えば、上記実施例においては、本発明の身体支持部材を椅子１の座芯の構造に適用する構成を例示したが、身体に直接または間接的に接触する部材であればさまざまなものに適用することができる。例えば、椅子１の背もたれ１５や、ベッドなどに用いてもよい。
【００５５】
また、上記実施例においては、支持部４１を中心とする円周上にスリット列４５が配置される構成を例示したが、スリットの形状や配置は上述したものに限定されない。その一例を図６（Ａ）〜（Ｅ）に示す。図６（Ａ）〜（Ｄ）においてはスリット列を破線で示している。
【００５６】
例えば図６（Ａ）のように、２つの支持部７１のいずれかを囲うスリット列７３と両方を囲うスリット列７５とを形成していてもよいし、２つの支持部７１が繋がった図６（Ｂ）のような形状であってもよい。
【００５７】
また、図６（Ｃ）のように、四角形などの曲線以外の形状にスリット列８１が形成されていてもよいし、図６（Ｄ）のように偏りを持ったスリット列８３であってもよい。
また、スリットは列に形成されている必要はなく、全体として支持部を取り囲むように配置されていればよい。また、図６（Ｅ）のように単純な直線や曲線以外のスリット８５を用いてもよい。
【００５８】
また、上記実施例においては、スリットによって固定領域と変動領域とが形成される構成を例示したが、スリット以外によってそれらを設けてもよい。例えば、図７（Ａ）に示すように、支持部９１と外縁部９３との間に変動領域９５と固定領域９７とが交互に配置される構成が考えられる。変動領域９５と固定領域９７との機能を相違させるために、例えば図７（Ｂ）のように肉厚を調整して変動領域９５を肉薄に形成しても良いし、変動領域９５と固定領域９７とを強度や柔軟性の異なる材質で形成しても良い。また図７（Ｃ）に示すように、変動領域９５の側面形状を変形しやすい形状にしても良い。
【符号の説明】
【００５９】
１…椅子、３…使用者、５…坐骨、７…メッシュ、１１…キャスタ、１３…脚体、１５…背もたれ、２１…着座部、２３…座受け、２５…座裏カバー、２７…枠体、２９…座芯、３１…クッション、３３…軸、４１…支持部、４３…スリット、４５…スリット列、４７…遮断構造、４９…補助リブ、５１…枠体収容部、５５…周辺部、５７…外縁部、６１…固定領域、６３…狭い変動領域、６３…変動領域、７１…支持部、７３，７５，８１，８３…スリット列、８５…スリット、９１…支持部、９３…外縁部、９５…変動領域、９７…固定領域
【図１】
0005592171.tif 000002
【図３】
0005592171.tif 000003
【図６】
0005592171.tif 000004
【図８】
0005592171.tif 000005
【図２】
0005592171.tif 000006
【図４】
0005592171.tif 000007
【図５】
0005592171.tif 000008
【図７】
0005592171.tif 000009
【図９】
0005592171.tif 000010